(57)【要約】【課題】折りたたみ傘において、傘生地に１本の止めバンドを取付けるのみで、傘骨を伸ばしたまま傘生地を折りたたまない状態で表面側から、または傘骨を折り曲げて傘生地を折りたたんだ状態で裏面側から、傘生地を開かないように巻付けて止める。【解決手段】細長布片６の一方側と他方側の両側部に、折りたたみ傘１の傘生地２に設けられた小孔３よりは径大な一方側掛止リング７ａと他方側掛止リング７ｂをそれぞれ固定すると共に、前記細長布片６の表面の一方側掛止リング７ａからやや離れた中程寄りに、前記他方側掛止リング７ｂに掛止する一方側掛止具８ａを、また、前記細長布片６の裏面の前記他方側掛止リング７ｂに近接して、前記一方側掛止リング７ａに掛止する他方側掛止具８ｂをそれぞれ設けて形成された止めバンド５を、前記小孔３にスライド自在に挿通する。【選択図】図２
2004329468.tif 000002
【特許請求の範囲】
【請求項１】
折りたたみ傘において、傘生地の任意の外周縁部に小孔を設けると共に、該小孔をその外周縁部に設けられた補強手段により補強する一方、細長布片の一方側と他方側の両側部に前記小孔よりは径大な一方側掛止リングと他方側掛止リングをそれぞれ固定すると共に、前記細長布片の表面の前記一方側掛止リングからやや離れた中程寄りに、前記他方側掛止リングに掛止する一方側掛止具を、また、前記細長布片の裏面の前記他方側掛止リングに近接して、前記一方側掛止リングに掛止する他方側掛止具をそれぞれ設けて形成された止めバンドを、前記小孔にスライド自在に挿通したことを特徴とする両面止めバンドを備えた折りたたみ傘。
【請求項２】
折りたたみ傘において、傘生地の任意の外周縁部に小孔を設けると共に、該小孔をその外周縁部に設けられた補強手段により補強する一方、細長布片の裏面側の一端部に雄止め具を固着すると共に、前記細長布片の表面側の他端部と、該他端部からやや離れた中程寄りに、前記雄止め具に止着する雌止め具をそれぞれ固着して形成された止めバンドを、前記小孔にスライド自在に挿通したことを特徴とする両面止めバンドを備えた折りたたみ傘。
【請求項３】
折りたたみ傘において、傘生地の任意の外周縁部に小孔を設けると共に、該小孔をその外周縁部に設けられた補強手段により補強する一方、細長布片の裏面側の一端部に雌止め具を固着すると共に、前記細長布片の表面側の他端部と、該他端部からやや離れた中程寄りに、前記雌止め具に止着する雄止め具をそれぞれ固着して形成された止めバンドを、前記小孔にスライド自在に挿通したことを特徴とする両面止めバンドを備えた折りたたみ傘。
【発明の詳細な説明】
【０００１】
【発明の属する技術分野】本発明は、折りたたみ傘において、傘骨を伸ばしたまま傘を閉じて、傘生地を折りたたまない状態で、該傘生地の表面側から開かないように巻付けて止めることもできるし、または傘骨を折り曲げて傘生地を折りたたんだ状態でも、該傘生地の裏面側から開かないように巻付けて止めることができる両面止めバンドを備えた折りたたみ傘を提供するものである。
【０００２】
【従来の技術】従来、折りたたみ傘において、傘生地を折りたたまずに傘を閉じて、止めバンドにより傘生地を開かないように止める傘としては、例えば実公平６−７５１９号公報に開示された「両面に留め具をつけた傘」が公知である。
【０００３】
【特許文献１】
［実公平６−７５１９号公報］
【０００４】
【発明が解決しようとする課題】前記特許文献１で開示された「両面に留め具をつけた傘」は、従来、片面にしか付いていなかった留め具を、傘生地の表・裏面にそれぞれ取付けるもので、傘を開いたときに２本の留め具が傘生地に固定され、美観を損ねてしまうという課題があった。また、留め具の使用に際し、どちらの側の留め具を使用したらよいか、間違いが多いという課題があった。
【０００５】本発明は、前記課題を解決すべくなされたものであって、折りたたみ傘において、傘生地に１本の止めバンドを取付けるのみで、傘骨を伸ばしたまま傘生地を折りたたまない状態で表面側から、または傘骨を折り曲げて傘生地を折りたたんで裏面側から、傘生地を開かないように巻付けて止めることができ、特にラッシュ時の電車、バス内において、該傘生地が広がって他人の服を濡らして迷惑をかけることが防止できる両面止めバンドを備えた折りたたみ傘を提供しようとするものである。
【０００６】
【課題を解決するための手段】本発明は、折りたたみ傘において、傘生地の任意の外周縁部に小孔を設けると共に、該小孔をその外周縁部に設けられた補強手段により補強する一方、細長布片の一方側と他方側の両側部に前記小孔よりは径大な一方側掛止リングと他方側掛止リングをそれぞれ固定すると共に、前記細長布片の表面の前記一方側掛止リングからやや離れた中程寄りに、前記他方側掛止リングに掛止する一方側掛止具を、また、前記細長布片の裏面の前記他方側掛止リングに近接して、前記一方側掛止リングに掛止する他方側掛止具をそれぞれ設けて形成された止めバンドを、前記小孔にスライド自在に挿通するという手段、または、
折りたたみ傘において、傘生地の任意の外周縁部に小孔を設けると共に、該小孔をその外周縁部に設けられた補強手段により補強する一方、細長布片の裏面側の一端部に雄止め具を固着すると共に、前記細長布片の表面側の他端部と、該他端部からやや離れた中程寄りに、前記雄止め具に止着する雌止め具をそれぞれ固着して形成された止めバンドを、前記小孔にスライド自在に挿通するという手段、あるいは、
折りたたみ傘において、傘生地の任意の外周縁部に小孔を設けると共に、該小孔をその外周縁部に設けられた補強手段により補強する一方、細長布片の裏面側の一端部に雌止め具を固着すると共に、前記細長布片の表面側の他端部と、該他端部からやや離れた中程寄りに、前記雌止め具に止着する雄止め具をそれぞれ固着して形成された止めバンドを、前記小孔にスライド自在に挿通するという手段、のいずれかを採用することにより、上記課題を解決した。
【０００７】
【発明の実施の形態】本発明の実施の形態を図面に基いて詳細に説明する。図１は、本発明の第１の実施の形態を示す全体の斜視図、図２は同要部の斜視図である。図２に示すように、折りたたみ傘１の傘生地２の任意の外周縁部に小孔３を設けると共に、前記小孔３の外周縁部に、該小孔３を補強するために、図３に示すように、糸で縫い合わせたかがり部４ａを設けたり、あるいは図４に示すように、プラスチック、金属製の補強リング４ｂを取付けて補強手段４を形成する。
【０００８】そして、前記小孔３には、傘生地２を開かないように巻付けて止める止めバンド５が、該小孔３内においてスライド自在に挿通されている。前記止めバンド５は、前記傘生地２と同一素材の細長布片６を用いて形成される。
【０００９】前記止めバンド５は、図５に示すように、前記細長布片６の一方側と他方側の両側部に前記小孔よりは径大な一方側掛止リング７ａと他方側掛止リング７ｂをそれぞれ固定すると共に、該細長布片６の表面の前記一方側掛止リング７ａの手前部に、前記他方側掛止リング７ｂに掛止する一方側掛止具８ａと、前記細長布片６の裏面の前記他方側掛止リング７ｂの手前部に、前記一方側掛止リング７ａに掛止する他方側掛止具８ｂをそれぞれ固定して形成されている。なお、図中、９ａ・９ｂは、前記各掛止リング７ａ・７ｂの各外側部に取付けられた引張り用布片であり、前記各掛止具８ａ・８ｂにそれぞれ掛止リング７ｂ・７ａを掛止する際、該引張り用布片９ｂ・９ａを引張って、各掛止具８ａ・８ｂにそれぞれ掛止リング７ｂ・７ａを掛止する。
【００１０】前記各掛止具８ａ・８ｂの細長布片６への取付位置は、該一方側掛止具８ａで傘生地２を表面側から止める場合は、該傘生地２が単層に重合されるのみで、厚くならないため、前記一方側掛止具８ａは細長布片６の表面側の一方側掛止リング７ａからやや離れた中程寄りに取付けるが、前記他方側掛止具８ｂで傘生地２を裏面側から止める場合は、該傘生地２が複層に重合されて厚くなるため、該他方側掛止具８ｂは細長布片６の裏面側の他方側掛止リング７ｂに近接して取付けることが好ましい。
【００１１】前記構成より成る両面止めバンドを備えた折りたたみ傘の作用について説明する。先ず、折りたたみ傘１を使用した後、例えば電車等に乗車してそのまま傘骨１０を折り曲げることなく、傘生地２を折りたたまない状態で止めバンド５によって止める場合、前記止めバンド５の表面側を上面にして、該止めバンド５を前記傘生地２の表面側に位置するよう、前記引張り用布片９ｂを引張ると、傘生地２の小孔３の裏面側に一方側掛止リング７ａが、前記小孔３より径大に形成されているため、図２に示されたように、ストッパーの役目を果たして係止されると共に、図６に示すように、止めバンド５を前記傘生地２の表面側に巻付け、該止めバンド５の表面側の一方側掛止具８ａに他方側掛止リング７ｂを掛止することにより、折たたまない状態の傘生地２は止めバンド５によって止めることができる。この際、一方側掛止リング７ａに近接する止めバンド５の表面側の一部は、図６に示すように、他方側掛止リング７ｂに近接する止めバンド５の下面に重合される。
【００１２】一方、折りたたみ傘１を使用しない場合、傘骨１０を折り曲げて、傘生地２の裏面側を表にして折りたたんだ後、前記止めバンド５の裏面側を上面にして、該止めバンド５を前記傘生地２の裏面側に位置するよう、引張り用布片９ａを引張ると、前記折りたたまれた傘生地２の小孔３の表面側に他方側掛止リング７ｂが、前記小孔３より径大に形成されているため、前記図２と同様に、ストッパーの役目を果たして係止されると共に、図７に示すように、止めバンド５を前記折りたたまれた傘生地２の裏面側に巻付け、該止めバンド５の裏面側の他方側掛止具８ｂに一方側掛止リング７ａを掛止することにより、折りたたまれた傘生地２は止めバンド５によって開かないように止めることができる。
【００１３】図８は、本発明の両面止めバンドを備えた折りたたみ傘の第２の実施の形態における止めバンドを表面側から見た斜視図、図９は、該止めバンドを小孔に挿通した状態を示す要部の斜視図である。本発明の第２の実施の形態における止めバンド１５は、前記傘生地２と同一素材の細長布片１６を用いて形成されるが、該細長布片１６は、前記小孔３より幅広に形成されることが推奨され、これにより小孔３に挿通された止めバンド１５の前記小孔３内における移動を抑制して、離脱を防止することができる。
【００１４】前記止めバンド１５は、細長布片１６の裏面側の一端部に、面ファスナー雄片、あるいは雄ホック等の雄止め具１７（図８においては、面ファスナー雄片が図示されている）を固着すると共に、前記細長布片１６の表面側の他端部と、該他端部からやや離れた中程寄りに、前記雄止具１７に止着する面ファスナー雌片、あるいは雌ホック等の雌止め具１８・１９（図８においては、面ファスナー雌片が図示されている）をそれぞれ固着して形成されている。なお、前記雄止め具１７と雌止め具１８・１９は、それぞれ逆に取付けても本発明に採用することができる。
【００１５】前記構成より成る本発明第２の実施の形態における両面止めバンドを備えた折りたたみ傘の作用について説明する。前記小孔３内に挿通された止めバンド１５は、前記したように細長片１６が該小孔３より幅広に形成されることにより、前記小孔３から止めバンド１５が離脱する虞れはないが、更に図９に示すように折りたたみ傘１の使用時に、雄止め具１７を雌止め具１８・１９のいずれかに止着しておくことにより、該止めバンド１５の不使用時において小孔３から離脱することが完全に防止される。
【００１６】折りたたみ傘１を使用した後、例えば電車等に乗車してそのまま傘骨１０を折り曲げることなく、傘生地２を折りたたまない状態で止めバンド１５によって止める場合、前記止めバンド１５の表面側を上面にして、該止めバンド１５を前記傘生地２の表面側に位置するよう引張り、図１０に示すように、該止めバンド１５を前記傘生地２の表面側に巻付け、前記止めバンド１５の表面側の他端部からやや離れた中程寄りに固着された雌止め具１９に裏面側の雄止め具１７を止着することにより、折りたたまない状態の傘生地２は開かないように止めバンド１５によって止めることができる。この際、止めバンド１５の他端部側は、図１０に示すように、一端部側の止めバンド１５の下面に重合される。
【００１７】一方、折りたたみ傘１を使用しない場合、傘骨１０を折り曲げて傘生地２の裏面側を表にして折りたたんだ後、前記止めバンド１５の表面側を上面にして、該止めバンド１５を前記傘生地２の裏面側に位置するよう引張り、図１１に示すように、前記止めバンド１５を前記折りたたまれた傘生地２の裏面側に巻付け、該止めバンド１５の表面側の端縁部に固着された雌止め具１８に裏面側の雄止め具１７を止着することにより、折たたまれた傘生地２は、開かないように止めバンド１５によって止めることができる。
【００１８】
【発明の効果】本発明は上述のようであるから、止めバンドを小孔を介してスライドさせて、折りたたみ傘の傘生地の表面側、あるいは裏面側に移動させるのみで、傘生地を折りたたまない状態、あるいは折りたたんだ状態のいずれの場合でも、迅速に傘生地を止めることができるので、特に電車、バスにおけるラッシュ時に、雨に濡れた傘生地を傘骨を折りたたんで止めるという面倒な操作をすることなく、傘生地を止め付けて細くすることができるので、他人に迷惑をかけることがないという優れた効果を有する。
【図面の簡単な説明】
【図１】本発明の第１の実施の形態を示す全体の斜視図である。
【図２】本発明の第１の実施の形態における要部の斜視図である。
【図３】本発明の第１の実施の形態における小孔部分の斜視図である。
【図４】本発明の第１の実施の形態における小孔部分の斜視図である。
【図５】本発明の第１の実施の形態における止めバンドの斜視図である。
【図６】本発明の第１の実施の形態における止めバンドを用いて傘骨を折り曲げず、傘生地を止めた状態を示す斜視図である。
【図７】本発明の第１の実施の形態における止めバンドを用いて傘骨を折り曲げて、傘生地を止めた状態を示す斜視図である。
【図８】本発明の第２の実施の形態における止めバンドを裏面側から見た斜視図である。
【図９】本発明の第２の実施の形態における止めバンドを小孔に取付けた状態を示す要部の斜視図である。
【図１０】本発明の第２の実施の形態における止めバンドを用いて傘骨を折り曲げず、傘生地を止めた状態を示す斜視図である。
【図１１】本発明の第２の実施の形態における止めバンドを用いて傘骨を折り曲げて、傘生地を止めた状態を示す斜視図である。
【符号の説明】
１  折りたたみ傘、  ２  傘生地、  ３  小孔、  ４  補強手段、  ５  止めバンド、  ６  細長布片、  ７ａ  一方側掛止リング、  ７ｂ  他方側掛止リング、  ８ａ  一方側掛止具、  ８ｂ  他方側掛止具、  １５  止めバンド、  １６細長布片、  １７  雄止め具、  １８・１９  雌止め具。
【図１】
2004329468.tif 000003
【図２】
2004329468.tif 000004
【図３】
2004329468.tif 000005
【図４】
2004329468.tif 000006
【図５】
2004329468.tif 000007
【図６】
2004329468.tif 000008
【図７】
2004329468.tif 000009
【図８】
2004329468.tif 000010
【図９】
2004329468.tif 000011
【図１０】
2004329468.tif 000012
【図１１】
2004329468.tif 000013